(57)【要約】【課題】マイクロ流体デバイスの構成要素に相当する設計データを簡易に作成するためのＣＡＤシステムを提供する。【解決手段】素材内部に形成されるマイクロ流体デバイスの構成要素に相当する設計データを作成するＣＡＤシステムであって、前記マイクロ流体デバイスの構成要素それぞれの座標値を設定する座標値設定部と、座標値が設定された前記構成要素それぞれに対し、前記素材内部における深さ、太さ、及び断面形状を含む属性情報を、素材を特定する情報を示す素材データに応じて設定することにより、前記設計データを作成する設計データ作成部と、を有するＣＡＤシステム。【選択図】図４
2018136879.tif 000002
【特許請求の範囲】
【請求項１】
素材内部に形成されるマイクロ流体デバイスの構成要素に相当する設計データを作成するＣＡＤシステムであって、
前記マイクロ流体デバイスの構成要素それぞれの座標値を設定する座標値設定部と、
座標値が設定された前記構成要素それぞれに対し、前記素材内部における深さ、太さ、及び断面形状を含む属性情報を、素材を特定する情報を示す素材データに応じて設定することにより、前記設計データを作成する設計データ作成部と、
を有するＣＡＤシステム。
【請求項２】
素材内部に形成されるマイクロ流体デバイスの流路、及び前記流路と素材外部とを連通する開口部分を有するポートに相当する設計データを作成するＣＡＤシステムであって、
前記ポート、及び前記流路それぞれの座標値を設定する座標値設定部と、
座標値が設定された前記ポート、及び前記流路それぞれに対し、前記素材内部における深さ、太さ、及び断面形状を含む属性情報を、素材を特定する情報を示す素材データに応じて設定することにより、前記設計データを作成する設計データ作成部と、
を有するＣＡＤシステム。
【請求項３】
前記素材データ、及び作成した前記設計データを、前記マイクロ流体デバイスを加工するための加工データを作成するＣＡＭシステム、または前記マイクロ流体デバイスを加工する加工システムに出力する出力部を有することを特徴とする請求項１または２記載のＣＡＤシステム。
【請求項４】
素材内部に形成されるマイクロ流体デバイスの構成要素に相当する設計データを作成する方法であって、
前記マイクロ流体デバイスの構成要素それぞれの座標値を設定する第１のステップと、
座標値が設定された前記構成要素それぞれに対し、前記素材内部における深さ、太さ、及び断面形状を含む属性情報を、素材を特定する情報を示す素材データに応じて設定することにより、前記設計データを作成する第２のステップと、
を有する設計データの作成方法。
【請求項５】
素材内部に形成されるマイクロ流体デバイスの流路、及び前記流路と素材外部とを連通する開口部分を有するポートに相当する設計データを作成する方法であって、
前記ポート、及び前記流路それぞれの座標値を設定する第１のステップと、
座標値が設定された前記ポート、及び前記流路それぞれに対し、前記素材内部における深さ、太さ、及び断面形状を含む属性情報を、素材を特定する情報を示す素材データに応じて設定することにより、前記設計データを作成する第２のステップと、
を有する設計データの作成方法。
【請求項６】
前記第１のステップは、前記流路同士を接続する接続点の座標値を更に設定し、
前記第２のステップは、座標値が設定された前記接続点の属性情報を設定することにより、前記設計データを作成することを特徴とする請求項５記載の設計データの作成方法。
【請求項７】
前記第１のステップは、前記流路中に形成される反応室の座標値を更に設定し、
前記第２のステップは、前記反応室の属性情報を設定することにより、前記設計データを作成することを特徴とする請求項５または６記載の設計データの作成方法。
【発明の詳細な説明】
【技術分野】
【０００１】
本発明は、素材内部に形成される流路、及び流路と素材外部とを連通する開口部分を有するポートに相当する設計データを作成するためのＣＡＤシステム、及び当該設計データを作成する方法である。
【背景技術】
【０００２】
マイクロ流体デバイスは、バイオ・生化学分野や化学工学において広く利用されている。マイクロ流体デバイスは、微細加工により形成された、試薬等を注入するためのポートや、ポートから注入された試薬等が流れる流路のような構成要素を備える。
【０００３】
マイクロ流体デバイスの構成要素を作成する場合、素材（樹脂材料、ガラス材料等）の表面にレーザー照射やエッチング処理（微細加工の一例）を行って溝を形成し、その上から別の素材を貼り合わせることが一般的である。
【０００４】
一方、特許文献１には、ガラス基板内にレーザーを直接照射してエッチング耐性を低下させた後、レーザーを照射した箇所に対してエッチング処理を施すことにより、素材内部に流路を形成するというマイクロ流体デバイスの製造方法が開示されている。
【先行技術文献】
【特許文献】
【０００５】
【特許文献１】特開２０１６−１４８５９２号公報
【発明の概要】
【発明が解決しようとする課題】
【０００６】
ここで、マイクロ流体デバイスの構成要素は、その目的に応じて様々な形状に設計できることが好ましい。そこで、三次元ＣＡＤシステムを用い、このような構成要素に相当する三次元データを予め作成し、その三次元データを利用して加工することが考えられる。
【０００７】
しかし、三次元ＣＡＤシステムを用いたデータの作成は非常に複雑であるため、専門家でなければ困難である。従って、マイクロ流体デバイスを実際に利用する者（バイオ・生化学分野の研究者）にとっては、三次元ＣＡＤシステムを利用して構成要素に相当する三次元データを作成することは難しい。
【０００８】
マイクロ流体デバイスの構成要素に相当する設計データを簡易に作成するためのＣＡＤシステム、及び作成方法を提供する。
【課題を解決するための手段】
【０００９】
上記目的を達成するための一の発明は、素材内部に形成されるマイクロ流体デバイスの構成要素に相当する設計データを作成するＣＡＤシステムであって、前記マイクロ流体デバイスの構成要素それぞれの座標値を設定する座標値設定部と、座標値が設定された前記構成要素それぞれに対し、前記素材内部における深さ、太さ、及び断面形状を含む属性情報を、素材を特定する情報を示す素材データに応じて設定することにより、前記設計データを作成する設計データ作成部と、を有するＣＡＤシステムである。
本発明の他の特徴については、本明細書の記載により明らかにする。
【発明の効果】
【００１０】
本発明によれば、マイクロ流体デバイスの構成要素に相当する設計データを簡易に作成することができる。
【図面の簡単な説明】
【００１１】
【図１】第１実施形態に係るＣＡＤシステムのハードウェア構成を示す図である。
【図２】第１実施形態に係るＣＡＤシステムのソフトウェア構成を示す図である。
【図３Ａ】第１実施形態に係る素材選択用画面を示す図である。
【図３Ｂ】第１実施形態に係る作図・編集画面を示す図である。
【図３Ｃ】第１実施形態に係る属性情報設定画面を示す図である。
【図４】第１実施形態の変形例に係る作図・編集画面を示す図である。
【図５】第１実施形態の変形例に係る作図・編集画面を示す図である。
【図６】第２実施形態に係る加工システムの構成を示す模式図である。
【図７】第２実施形態に係る加工データの作成方法を示すフローチャートである。
【図８Ａ】第２実施形態に係る加工物を示した図である。
【図８Ｂ】第２実施形態に係る加工物の形状データを示した図である。
【図８Ｃ】第２実施形態に係る加工物の形状データを示した図である。
【図８Ｄ】第２実施形態に係る分割断面データを示した図である。
【図８Ｅ】第２実施形態に係る分割断面データを示した図である。
【図９Ａ】第２実施形態に係る加工領域を示した図である。
【図９Ｂ】第２実施形態に係る加工領域を示した図である。
【図１０】第２実施形態に係る加工方法を示すフローチャートである。
【発明を実施するための形態】
【００１２】
＜第１実施形態＞
図１〜図５を参照して、第１実施形態に係るＣＡＤシステム３００について説明を行う。本実施形態に係るＣＡＤシステム３００は、素材内部に形成されるマイクロ流体デバイスの構成要素に相当する設計データを作成することができる。マイクロ流体デバイスの構成要素は、マイクロ流体デバイスが備える構成であれば特に限定されない。構成要素は、たとえば、流路、及び流路と素材外部とを連通する開口部分を有するポート、反応室、マイクロポンプ等である。以下の例では、流路及びポートに相当する設計データを作成する例について述べる。
【００１３】
［ＣＡＤシステムのハードウェア構成］
図１はＣＡＤシステム３００のハードウェア構成例を示す図である。ＣＡＤシステム３００は、記憶部３００ａ、通信部３００ｂ、操作部３００ｃ、表示部３００ｄ、及び制御部３００ｅを備える。
【００１４】
記憶部３００ａは、ＣＡＤシステム３００に関する各種情報を記憶する。通信部３００ｂは、ＣＡＤシステム３００と、ＣＡＭシステム２００（図６参照）とを接続するためのインターフェースを提供する。操作部３００ｃは、作業者がＣＡＤシステム３００に対して各種の操作入力を行うための構成である。操作部３００ｃは、たとえば、マウス、キーボード或いは、ＧＵＩである。表示部３００ｄは、各種の情報を表示させたり、設計データ（後述）を作成するための表示画面を提供する。
【００１５】
制御部３００ｅは、ＣＡＤシステム３００における各種処理を制御する。制御部３００ｅはＣＰＵおよびメモリ（いずれも図示無し）を備える。ＣＰＵは、メモリに記憶された動作プログラムを実行することにより各種の機能を実現する。動作プログラムは、たとえば予めインストールされた設計データ作成用ソフトウェアを立ち上げるにより実行される。
【００１６】
［ＣＡＤシステムのソフトウェア構成］
図２はＣＡＤシステム３００のソフトウェア構成例を示す図である。ＣＡＤシステム３００は、素材データ記憶部３０１ａ、表示データ記憶部３０２ａ、表示制御部３０１ｅ、素材データ決定部３０２ｅ、座標値設定部３０３ｅ、設計データ作成部３０４ｅ、出力部３０５ｅを備える。素材データ記憶部３０１ａ及び表示データ記憶部３０２ａは、記憶部３００ａの記憶領域の一部として提供される。表示制御部３０１ｅ、素材データ決定部３０２ｅ、座標値設定部３０３ｅ、設計データ作成部３０４ｅ、及び出力部３０５ｅは、制御部３００ｅのＣＰＵがメモリに記憶される動作プログラムを実行することにより実現される。
【００１７】
（素材データ記憶部）
素材データ記憶部３０１ａは、加工物（マイクロ流体デバイス）の元となる素材を特定するための情報を記憶している。素材を特定するための情報は、たとえば、材質（ガラス、樹脂、ジルコニア等）、形状（円柱、直方体、立方体等）、サイズ（縦、横、高さ（厚み）等）、色である。
【００１８】
（表示データ記憶部）
表示データ記憶部３０２ａは、設計データを作成する際に作業者が表示画面上で選択する各種アイコンに関する情報や各種画像データ、或いは表示画面のレイアウトを記憶している。各種アイコンは、たとえば、ポートを描くための丸アイコンや、流路を描くための線分アイコン（直線、曲線、自由曲線）である。
【００１９】
（表示制御部）
表示制御部３０１ｅは、ＣＡＤシステム３００における各種表示制御を行う。たとえば、設計データ作成用ソフトウェアを立ち上げると、表示制御部３０１ｅは表示部３００ｄの表示画面に素材選択用画面を表示させる（図３Ａ参照）。
【００２０】
（素材データ決定部）
素材データ決定部３０２ｅは、設計データを作成する際に使用される素材を特定する情報を示す素材データを決定する。
【００２１】
具体例として、図３Ａのような素材選択用画面が表示されているとする。この場合、作業者は、素材に関する各種情報（材質、形状、サイズ）のアイコンを選択し、所望の材質、形状、サイズを選択、或いは入力する。なお、表示される各種情報は、素材データ記憶３０１ａに記憶されている。その後、決定ボタンが押下されると、素材データ決定部３０２ｅは、選択された素材に関する情報を一の素材データとして決定する。素材データ決定部３０２ｅは、決定した素材データを設計データ作成部３０４ｅに出力する。
【００２２】
なお、ＣＡＤシステム３００は、他のシステム等で予め決定された素材に対して設計データの作成を行うように構成されていてもよい。この場合、素材データ決定部３０２ｅは不要である。
【００２３】
（座標値設定部）
座標値設定部３０３ｅは、マイクロ流体デバイスの構成要素それぞれの座標値を設定する。本実施形態において、座標値設定部３０３ｅは、ポート、及び流路それぞれの座標値を設定する。
【００２４】
上述の通り、ポートは、マイクロ流体デバイスにおいて試薬等を注入するための部分である。ポートは、マイクロ流体デバイスの表面に開口部分を有する。ポートは開口部分から所定の深さを有する中空の形状となっている。流路は、ポートから注入された試薬等が流れる部分である。つまり、マイクロ流体デバイスにおいてポート（中空の部分）と流路とは連結している。また、ポートの開口部分は、流路と素材外部とを連通する部分に相当する。
【００２５】
図３Ａにおいて決定ボタンが押下された場合、表示制御部３０１ｅは、表示部３００ｄの表示画面にポートや流路を描画するための作図・編集画面を表示させる（図３Ｂ参照）。この画面には、作図エリア、座標軸（この例では横方向をＸ軸、縦方向をＹ軸としている）、及びポート等を描画するためのアイコンが表示されている。作図エリアや座標軸の画像データ及びアイコンデータは、表示データ記憶３０２ａに記憶されている。
【００２６】
作業者は、操作部３００ｃを介して所望のアイコンを選択し、ポートや流路を作図・編集する。流路は複数の線分に分けて作図することも可能である。たとえば、図３Ｂに示すように、三つのポート（ポートＰ１〜Ｐ３）を作図すると共に、それらに連結する二股の流路部分を五つの線分（流路Ｆ１〜Ｆ５）に分けて作図することができる。なお、この例において、作図されたポートの位置は開口部分に相当する。
【００２７】
作図が完了した後、決定ボタンが押下されると、座標値設定部３０３ｅは、ある点（たとえば、作図エリアの左上）を原点とし、作図されたポートＰ１〜Ｐ３のＸＹ座標値、及び作図された流路Ｆ１〜Ｆ５のＸＹ座標値（各流路の始点と終点それぞれの座標値）を設定する。座標値設定部３０３ｅは、設定した座標値を設計データ作成部３０４ｅに出力する。
【００２８】
なお、図３Ｂの例では、Ｘ軸及びＹ軸の二次元平面で作図する例を示しているが、たとえば、Ｚ方向に延びる流路またはＺ方向に傾斜する流路を設けたい場合等には、Ｚ軸方向の作図を可能とすることもできる。この場合、Ｚ方向の流路はＸＹＺの三次元の座標値が設定される。
【００２９】
また、マイクロ流体デバイスにおいては、ポートから注入された試薬等が流路を流れる必要があるため、隣り合う各要素（ポート、流路）同士は必ず連結されていることを要する。一方、入力ミス等により、各要素が上手く連結されていない状態で作図される可能性もありうる。
【００３０】
そこで、座標値設定部３０３ｅは、作図が完成した後、隣り合う各要素が連結されているかを判断し、連結されていない場合にはその旨の信号を表示制御部３０１ｅに出力する。そして、表示制御部３０１ｅは、当該信号に基づいて表示画面に警告メッセージ（エラーメッセージ）を表示させることも可能である。或いは、座標値設定部３０３ｅは、連結されていない場合には、その旨の信号及び連結されていない要素の座標値を表示制御部３０１ｅに出力する。そして、表示制御部３０１ｅは、当該信号及び座標値に基づいて、連結されていない要素を他の要素（連結されている要素）と異なる態様で表示（色を変える、点滅させる等）させることも可能である。
【００３１】
（設計データ作成部）
設計データ作成部３０４ｅは、座標値が設定されたマイクロ流体デバイスの構成要素それぞれに対し、素材内部における深さ、太さ、及び断面形状を含む属性情報を、素材を特定する情報を示す素材データに応じて設定することにより、設計データを作成する。本実施形態において、設計データ作成部３０４ｅは、流路及びポートそれぞれに対し、設計データを作成する。
【００３２】
ポートの属性情報は、開口部分に相当する位置から素材内部における所定位置までの深さ（上記例のようにＸＹ平面においてポートが作図された場合には、開口部分に相当する位置から所定位置までのＺ方向の距離）、太さ（円形であれば直径や半径、方形であれば対角線の長さ等）、及び断面形状（円形、方形）を含む情報である。流路の属性情報は、素材内部における深さ方向の位置（上記例のようにＸＹ平面で流路が作図された場合には、Ｚ方向の位置）、太さ（円形であれば直径や半径、方形であれば対角線の長さ等）、及び断面形状（円形、方形）を含む情報である。ポートや流路の属性情報として流速や連結先の情報（座標値）を含めてもよい。
【００３３】
図３Ｂにおいて決定ボタンが押下された場合、表示制御部３０１ｅは、表示部３００ｄの表示画面に作図したポートや流路の属性情報を設定するための画面を表示させる（図３Ｃ参照）。
【００３４】
作業者は、操作部３００ｃを介して各ポートや各流路を選択し、ポートや流路に属性情報を付与する。たとえば、流路Ｆ１を選択すると、画面に「深さ」、「太さ」、「断面形状」の項目を入力できるポップアップ画面が表示される。作業者は、各項目に対し、操作部３００ｃを介して任意の値を入力し、確定ボタンを押下する。
【００３５】
確定ボタンが押下された場合、設計データ作成部３０４ｅは、入力された属性情報が、素材データ決定部３０２ｅで決定された素材データに対して妥当かどうかを判断する。
【００３６】
たとえば、素材データにおけるＺ方向の厚みが１ｍｍの場合において、属性情報として流路Ｆ１の太さが直径２ｍｍと入力された場合、流路Ｆ１は素材内部に収まらない。この場合、設計データ作成部３０４ｅは、その旨の信号を表示制御部３０１ｅに出力する。そして、表示制御部３０１ｅは、当該信号に基づいて表示画面に警告メッセージ（エラーメッセージ）を表示させる。或いは、設計データ作成部３０４ｅは、素材データに基づいて、素材内部に収まらないような値を入力できないように制御してもよい。
【００３７】
一方、素材データにおけるＺ方向の厚みが１ｍｍの場合において、属性情報として流路Ｆ１の太さが直径０．５ｍｍと入力された場合、設計データ作成部３０４ｅは、流路Ｆ１の太さとして０．５ｍｍを設定する。
【００３８】
或いは、素材データにおけるＺ方向の厚みが１ｍｍの場合において、属性情報としてポートＰ１の深さが直径０．７ｍｍと入力された場合、設計データ作成部３０４ｅは、ポートＰ１の開口部分に相当する位置からの深さ（Ｚ方向の距離）として０．７ｍｍを設定する。
【００３９】
各項目の入力を全てのポート及び流路に対して行った後、決定ボタンが押下されると、設計データ作成部３０４ｅは、設定された値をまとめた一の設計データを作成する。作成された設計データは、たとえば、素材データと関連付けて記憶部３００ａに記憶される。
【００４０】
なお、設定された値に基づいて、表示制御部３０１ｅは、立体形状を表示部３００ｄの表示画面に表示させてもよい。この場合、作業者は作図したポート及び流路の三次元的なイメージを掴むことができる。
【００４１】
（出力部）
出力部３０５ｅは、素材データ、及び作成した設計データを、マイクロ流体デバイスを加工するための加工データを作成するＣＡＭシステム２００、またはマイクロ流体デバイスを加工する加工システム１００（図６参照）に出力する。
【００４２】
出力される設計データは、上述のように、ポート及び流路それぞれの座標値、属性情報を有するデータであってもよいし、それらを用いて作成された三次元データ（ソリッドデータ等）であってもよい。
【００４３】
［効果］
このように、本実施形態に係るＣＡＤシステム３００によれば、マイクロ流体デバイスの構成要素の一例である、素材内部に形成される流路、及び流路と素材外部とを連通する開口部分を有するポートに相当する設計データを作成することができる。具体的には、ＣＡＤシステム３００の座標値設定部３０３ｅは、ポート、及び流路それぞれの座標値を設定する。そして、設計データ作成部３０４ｅは、座標値が設定されたポート、及び流路それぞれに対して素材を特定する情報を示す素材データを考慮した属性情報を設定することにより、設計データを作成する。この場合、作業者は、表示画面上でポートや流路を任意に作図し、それぞれの属性情報を入力するだけで設計データを得ることが可能となる。すなわち、本実施形態に係るＣＡＤシステム３００によれば、マイクロ流体デバイスのポートや流路に相当する設計データを簡易に作成することができる。
【００４４】
また、ＣＡＤシステム３００は、素材データ、及び作成した設計データを、ＣＡＭシステム２００、または加工システム１００に出力する出力部を有する。このように、素材データ及びＣＡＤシステム３００で作成した設計データをＣＡＭシステム２００に出力することでＣＡＭシステム２００は、設計データに応じた流路及びポートを加工するための加工データを作成することができる。或いは、加工システム１００は、設計データに基づいて、直接、マイクロ流体デバイスの加工を行うことが可能となる。
【００４５】
また、本実施形態に係るＣＡＤシステム３００で実行される処理を設計データの作成方法として特定することも可能である。設計データを作成する方法は、マイクロ流体デバイスの構成要素の一例である、素材内部に形成される流路、及び前記流路と素材外部とを連通する開口部分を有するポートに相当する設計データを作成する方法である。具体的には、ポート、及び流路それぞれの座標値を設定する第１のステップと、座標値が設定されたポート、及び流路それぞれに対し、素材内部における深さ、太さ、及び断面形状を含む属性情報を、素材を特定する情報を示す素材データに応じて設定することにより、設計データを作成する第２のステップと、を有する。このような方法を実施することにより、作業者は、表示画面上でポートや流路を任意に作図し、それぞれの属性情報を入力するだけで設計データを得ることが可能となる。すなわち、本実施形態に係る設計データの作成方法によれば、マイクロ流体デバイスのポートや流路に相当する設計データを簡易に作成することができる。
【００４６】
[変形例]
なお、マイクロ流体デバイスによっては、流路の多層化が要求される場合もありうる。多層化は、たとえば、図３Ｂで示したような二次元平面（層）が複数重なった構造である。このような場合であっても、各層について上記と同様の方法により、構成要素を作図・編集することにより、多層化されたマイクロ流体デバイスの設計データを得ることが可能となる。
【００４７】
また、複雑な流路を作図する場合、屈曲部分や複数の流路が交わる部分に、各流路同士を接続する接続点を設定することも可能である。
【００４８】
この場合、座標値設定部３０３ｅは、ポート、及び流路の座標値に加え、接続点の座標値を設定する。
【００４９】
たとえば、図４の作図・編集画面に示すように、三つのポート（ポートＰ´１〜Ｐ´３）を作図すると共に、それらに連結する流路部分を１３の線分（流路Ｆ´１〜Ｆ´１３）に分けて作図することができる。更に、各流路同士を接続する部分に、接続点（接続点Ｃ１〜Ｃ１１）を作図することができる。
【００５０】
作図が完了した後、決定ボタンが押下されると、座標値設定部３０３ｅは、ある点を原点とし、ポートＰ´１〜Ｐ´３のＸＹ座標値、流路Ｆ´１〜Ｆ´１３のＸＹ座標値（始点と終点それぞれの座標値）、及び接続点Ｃ１〜Ｃ１１のＸＹ座標値を設定する。座標値設定部３０３ｅは、設定した座標値を設計データ作成部３０４ｅに出力する。
【００５１】
設計データ作成部３０４ｅは、座標値が設定されたポート、流路、及び接続点それぞれに対し、素材を特定する情報を示す素材データに応じた属性情報を設定することにより、設計データを作成する。ここで、ポート及び流路の属性情報としては、上記実施形態で述べたように、素材内部における深さ、太さ、及び断面形状を含む。一方、接続点は、流路同士の接続部分に相当するため、接続される流路と同じ深さ、太さ、及び断面情報を含む。たとえば、流路Ｆ´３の終点において、「深さ：１ｍｍ」、「太さ：直径０．３ｍｍ」、「断面形状：円形」が設定され、流路Ｆ´４の始点において、「深さ：１ｍｍ」、「太さ：直径０．３ｍｍ」、「断面形状：円形」が設定されているとする。この場合、接続点Ｃ２の属性情報としては、「深さ：１ｍｍ」、「太さ：直径０．３ｍｍ」、「断面形状：円形」が設定される。
【００５２】
このように、座標値設定部３０３ｅは、流路同士を接続する接続点の座標値を更に設定し、設計データ作成部３０４ｅは、座標値が設定された接続点の属性情報を設定することにより、接続点に相当する部分のデータを含む設計データを作成することができる。このように接続点を設けることにより、流路同士が連結されているかどうかを確実に把握することが可能となる。
【００５３】
また、流路及びポート以外の構成要素として、マイクロ流体デバイスが、ポートを介して注入された試薬と検体を反応させるための反応室を有する場合の例について述べる。
【００５４】
この場合、座標値設定部３０３ｅは、ポート、及び流路の座標値に加え、反応室の座標値を設定する。
【００５５】
たとえば、たとえば、図５の作図・編集画面に示すように、三つのポート（ポートＰ４〜Ｐ６）を作図すると共に、それらに連結する流路部分を四つの線分（流路Ｆ６〜Ｆ９）に分けて作図することができる。更に、流路Ｆ８と流路Ｆ９の間に反応室Ｒ１を作図することができる。
【００５６】
作図が完了した後、決定ボタンが押下されると、座標値設定部３０３ｅは、ある点を原点とし、ポートＰ４〜Ｐ６のＸＹ座標値、流路Ｆ６〜Ｆ９のＸＹ座標値（始点と終点それぞれの座標値）、及び反応室Ｒ１のＸＹ座標値を設定する。座標値設定部３０３ｅは、設定した座標値を設計データ作成部３０４ｅに出力する。
【００５７】
設計データ作成部３０４ｅは、座標値が設定されたポート、流路、及び反応室それぞれに対し、素材を特定する情報を示す素材データに応じた属性情報を設定することにより、設計データを作成する。ここで、ポート及び流路の属性情報としては、上記実施形態で述べたように、素材内部における深さ、太さ、及び断面形状を含む。また、反応室の属性情報としては、素材内部における深さ方向の位置（上記例のようにＸＹ平面で反応室が作図された場合には、Ｚ方向の位置）、太さ（円形であれば直径や半径、方形であれば対角線の長さ等）、及び断面形状（円形、方形）を含む情報である。
【００５８】
このように、座標値設定部３０３ｅは、流路中に形成される反応室の座標値を更に設定し、設計データ作成部３０４ｅは、座標値が設定された反応室の属性情報を設定することにより、反応室に相当する部分のデータを含む設計データを作成することができる。
【００５９】
＜第２実施形態＞
次に、図６〜図１０を参照して、第２実施形態に係る加工方法について述べる。本実施形態では、第１実施形態で作成された設計データを用いて加工物（マイクロ流体デバイス）を加工する方法について述べる。
【００６０】
＝＝加工方法の概要＝＝
本実施形態に係る加工方法は、レーザーを照射して素材を加工することにより、外部に開口する開口部分、及び開口部分と連通する所定形状の空洞部分を有する加工物を作成する方法である。開口部分は素材表面に形成され、空洞部分は素材内部に形成される。レーザーを用いることにより、素材に対して非接触での加工が可能となる。以下、素材表面または素材内部においてレーザーが照射される領域を「加工領域」という場合がある。
【００６１】
素材はレーザーを透過する材料（光透過性材料）を用いる。具体的には、ガラス材料や光透過性の高い樹脂材料（たとえば、アクリル樹脂）を用いる。素材の光透過率は１００％である必要はなく、素材内部の加工領域までレーザーが届き加工可能な程度の値であればよい。
【００６２】
レーザーは超短パルスレーザーを用いる。超短パルスレーザーは、一のパルス幅が数ピコ秒〜数フェムト秒のレーザーである。超短パルスレーザーを素材の加工領域に短時間照射することにより、アブレーション加工（非熱加工）を行うことができる。アブレーション加工は、レーザーの照射により素材を溶融またはガス化させる方法である。溶融またはガス化（プラズマ化）した素材は、瞬時に蒸発・飛散し除去されるため、レーザーが照射された位置には空洞が形成される。アブレーション加工は、一般的なレーザー加工（熱加工）と比べ、熱による加工部分の損傷が少ない。なお、本実施形態で用いるアブレーション加工は、内部加工による空孔を生成することで、たとえばマイクロ流体デバイスの流路を作る手法であり、熱加工や３Ｄレーザー彫刻のような素材に微小なキズ（クラック）を形成する手法とは技術的に区別される。
【００６３】
素材に対するレーザーの照射は、予め作成された加工データ（後述）に基づいて行われる。また、本実施形態に係る加工方法は、たとえば、図６に示すような加工システム１００により実施される。加工システム１００は、ＣＡＭシステム２００で作成された加工プログラムを実行することにより素材の加工を行う。以下、「加工データ」、「加工システム」、「加工システムによる加工（加工方法）」について詳述する。
【００６４】
＝＝加工データ＝＝
加工データは、外部に開口する開口部分、及び開口部分と連通する空洞部分を有する加工物を作成する際に加工システム１００で使用されるデータである。加工データは、ＣＡＤシステム１００で作成された設計データ（第１実施形態参照）に基づいて、ＣＡＭシステム２００で作成される。
【００６５】
本実施形態に係る加工データは、少なくとも照射順序データ、スライス断面データ、及び加工領域データを含む。
【００６６】
照射順序データは、加工領域に対してレーザーの照射を行う順序を規定したデータである。この順序は、開口部分や空洞部分の形状等により決定される。溶融またはガス化した素材を素材外部に排出するためには、レーザーを照射する加工領域が開口部分を介して常に素材外部と連通している必要がある。すなわち、アブレーションによる内部加工は、開口部分から順に空洞部分の形状に沿って行われることを要する。従って、開口部分に対応する加工領域から優先的に加工されるよう、順序が決定される。なお、照射順序としては、断面積が広い加工領域から順に照射することがより好ましい。広い加工領域から順にレーザー照射を行って加工することにより、開口部分と連通する空間を広く確保することができる。この場合、溶融またはガス化した素材が素材外部に排出され易くなる結果、空洞部分により蒸着し難くなる。従って、より精度の高い加工物を作成できる。
【００６７】
スライス断面データは、素材の形状データを所定の厚みで所定方向にスライスして得られるデータである。スライス断面データは、一の形状データから複数（少なくとも２以上）得られる。本実施形態において、スライスの厚みやスライスする方向は、レーザーの波長に対する材料の吸収率や加工後の空孔の加工性、レーザーの照射順序や照射方向、加工形状、などを考慮して決定される。なお、スライスの厚み及びスライスの方向は、レーザーの照射回数が極力少なくなるよう（各スライス断面における加工領域が極力最大となるよう）に設定されることが好ましい。レーザーの照射回数を少なくすることにより、加工時間を短縮すること、材料への熱影響による改質を必要最小限に抑えるなどの効果が得られる。
【００６８】
加工領域データは、複数のスライス断面データそれぞれにおいて抽出されたデータである。加工領域データは、加工領域を特定するためのデータ（加工領域に相当するデータ）である。なお、加工領域データは、スライス断面データの数に応じて複数抽出されるが、加工領域の形状、スライスの厚み、スライスの方向等によっては、加工領域データが存在しないスライス断面データも存在する可能性がある。
【００６９】
更に、一のスライス断面データは、複数に分割された分割断面データとして得られてもよい。この場合、加工領域データは、分割された分割断面データ毎に抽出される。一のスライス断面データをいくつの分割断面データに分割するかは、特に限定されない。たとえば、ＣＡＭシステム２００毎に予め決まった所定数で分割してもよい。或いは、ＣＡＭシステム２００が、加工物の形状や内部に形成される空洞部分の形状等に基づいて、適当な数を設定してもよい。また、ＣＡＭシステム２００を介し、作業者が都度、任意の数を設定することでもよい。
【００７０】
加工データは、照射パターンデータを含んでいてもよい。照射パターンデータは、加工領域に対するレーザーの照射方法を決定するためのデータである（照射パターンの具体例は後述）。照射パターンデータは、ある加工データに対して一のデータが設定されていてもよいし、スライス断面データ毎や加工領域データ毎、或いは分割断面データ毎に異なる照射パターンデータが設定されていてもよい。なお、加工システム１００によって、搭載するレーザーの性能や調整部２０の構成が決まっている。従って、ＣＡＭシステム２００側で照射パターンを設定したとしてもそれを実行できない場合もありうる。そこで、加工データに照射パターンを含めず、加工時に加工システム１００側で照射パターンを設定することでもよい。
【００７１】
加工データは、照射パターン以外のレーザーの出力に関する情報（レーザーの照射速度または単位時間あたりの照射時間、強度等）や加工精度に関する情報、加工後の壁面処理に関する情報（仕上げ処理。鏡面加工や表面改質）を含んでいてもよい。
【００７２】
＝＝加工データの作成方法＝＝
図７〜図８Ｅを参照して、本実施形態に係る加工データの作成方法について説明する。図７は加工データの作成方法を示すフローチャートである。ここでは、二股の流路部分Ｆを有するマイクロ流体デバイスＤを加工するための加工データを作成する例について述べる。図７〜図８Ｅにおいて、マイクロ流体デバイスＤ（または三次元形状データｄ）の長手方向をＸ方向とし、短手方向をＹ方向とし、縦方向をＺ方向とする。
【００７３】
図８Ａに示すように、マイクロ流体デバイスＤは、三つの開口部分Ｏ１〜開口部分Ｏ３、ポートＰ１〜ポートＰ３、及び二股の流路部分Ｆを有する。
【００７４】
開口部分Ｏ１〜開口部分Ｏ３は、素材表面において外部に開口する部分である。ポートＰ1〜ポートＰ３それぞれは、開口部分Ｏ１〜開口部分Ｏ３それぞれと連通するＺ軸方向に延びる筒状の空洞である（筒状の底面は閉塞している）。流路部分Ｆは、ポートＰ１とポートＰ３、及びポートＰ２とポートＰ３を連通する二股の筒状の空洞である。ポートＰ１〜ポートＰ３及び流路部分Ｆは、「空洞部分」の一例である。
【００７５】
ＣＡＭシステム２００は、マイクロ流体デバイスＤの元となる素材の形状データ、及び開口部分や空洞部分の形状を規定する設計データ（ポート、流路のＸＹＺ方向における座標値、形状、直径等）を予め有している。
【００７６】
まず、ＣＡＭシステム２００は、素材データに含まれる素材の形状データ、及び開口部部分や空洞部分の形状を規定する設計データに基づいて、マイクロ流体デバイスＤの三次元形状データｄ（三次元ＣＡＤモデル。たとえば、ＳＴＬデータやソリッドデータ）を作成する（三次元形状データの作成。Ｓ１０）。三次元形状データｄは、開口部分及び空洞部分に相当する加工領域データを含んでいる。この例において、加工領域データは、開口部分Ｏ１〜Ｏ３に対応する加工領域データｏ１〜ｏ３、ポートＰ１〜Ｐ３に対応する加工領域データｐ１〜ｐ３、及び流路部分Ｆに対応する加工領域データｆを含む（図８Ｂ参照）。
【００７７】
ＣＡＭシステム２００は、レーザーを照射する順序を決定する（照射順序の決定。ステップ１１）。たとえば、ＣＡＭシステム２００は、Ｓ１０で作成した三次元形状データｄに含まれる加工領域データに基づき、開口部分に対応する加工領域から優先的に加工されるよう、照射順序を決定する。この例では、（１）開口部分Ｏ１〜開口部分Ｏ３、（２）ポートＰ１〜ポートＰ３、（３）流路部分Ｆ（ポートＰ１及びポートＰ２側からポートＰ３側に向かう方向）の順序が決定されたとする。ＣＡＭシステム２００は、決定した順序を照射順序データとして記憶する。
【００７８】
ＣＡＭシステム２００は、Ｓ１１で決定された順序を考慮して、Ｓ１０で作成した三次元形状データｄを所定の厚みで所定方向にスライスした複数のスライス断面データを作成する（スライス断面データの作成。Ｓ１２）。ＣＡＭシステム２００は、Ｓ１１で決定された順序で加工を行い易くなるよう、スライスの厚み及びスライスの方向を設定する。ＣＡＭシステム２００は、設定された厚み及び方向に基づいて三次元形状データｄをスライスすることにより、複数のスライス断面データを得ることができる。図３Ｃは、マイクロ流体デバイスＤの三次元形状データｄに対して複数のスライス断面データＳｄ１〜スライス断面データＳｄ６が形成された状態を示している。これらのスライス断面データは、マイクロ流体デバイスＤをＹＺ平面でスライスしたスライス断面に対応する。
【００７９】
ＣＡＭシステム２００は、複数のスライス断面データそれぞれにおいて、加工領域データを抽出する（加工領域データの抽出。Ｓ１３）。たとえば、図８Ｃの例において、ＣＡＭシステム２００は、スライス断面データＳｄ１において、開口部分Ｏ１、開口部分Ｏ２、ポートＰ１及びポートＰ２に対応する加工領域データｏ１、ｏ２、ｐ１及びｐ２を抽出し、スライス断面データＳｄ６において、開口部分Ｏ３及びポートＰ３に対応する加工領域データｏ３及びｐ３を抽出し、スライス断面データＳｄ２〜Ｓｄ５において、流路部分Ｆに対応する加工領域データｆ１〜ｆ５を抽出する（この例では、流路部分Ｆに対応する加工領域データｆは、スライス断面データの数に応じて５分割されている）。
【００８０】
上述の処理を行うことにより、ＣＡＭシステム２００は、Ｓ１１で決定された照射順序データ、Ｓ１２で作成された複数のスライス断面データ、及びＳ１３で抽出された加工領域データを含む加工データを作成することができる（加工データの完成。ステップ１４）。
【００８１】
ＣＡＭシステム２００は、作成した加工データを加工システム１００に出力する。加工システム１００は、加工データに基づき、加工領域に対して決定された順序でレーザーを照射することにより素材の加工を行う。出力されるデータの形式は、加工システム１００で使用できるものであれば特に限定されない。
【００８２】
なお、ＣＡＭシステム２００は、Ｓ１２で作成されたスライス断面データを複数の分割断面データに分割することも可能である。たとえば、ＣＡＭシステム２００は、図８Ｂに示したスライス断面データＳｄ５を予め設定された数の分割断面データに分割することができる。
【００８３】
スライス断面データの分割は様々な形が可能である。図８Ｄ及び図８Ｅは、スライス断面データＳｄ５をＸ方向から見た図である。スライス断面データＳｄ５には、加工領域データｆ５が含まれている。
【００８４】
たとえば、図８Ｄに示すように、スライス断面データＳｄ５を格子状に四分割することが可能である。或いは、図８Ｅに示すように、スライス断面データＳｄ５を放射状に八分割することも可能である。なお、一のスライス断面の分割数及び分割される各領域の面積は、特に限定されるものではない。但し、分割された一のスライス断面データに含まれる加工領域の面積は、照射部１０がレーザーを一回で照射できる範囲に含まれることが好ましい。
【００８５】
このように一のスライス断面データを複数の分割断面データに分割した場合、ＣＡＭシステム２００は、分割断面データ毎に加工領域データを抽出する。たとえば、図８Ｄの例において、ＣＡＭシステム２００は、スライス断面データＳｄ５に含まれる各分割断面データそれぞれ、加工領域データｆ５１〜ｆ５４を抽出する（図８Ｄ参照）。
【００８６】
＝＝加工システム＝＝
図６は、加工システム１００を模式的に示した図である。加工システム１００は、レーザーを用いて素材を加工することにより、外部に開口する開口部分、及び開口部分と連通する所定形状の空洞部分を有する加工物を作成する。加工システム１００は、加工装置１及びコンピューター２を有する。但し、コンピューター２の果たす機能を加工装置１で実現することによって、加工システム１００が加工装置１単体で構成されてもよい。
【００８７】
本実施形態に係る加工装置１は、５軸（Ｘ軸、Ｙ軸、Ｚ軸、Ａ回転軸（Ｘ軸回りの回転軸）、Ｂ回転軸（Ｙ軸回りの回転軸））の駆動軸を有する。加工装置１は、加工データに基づいて素材Ｍにレーザーを照射することにより、素材Ｍの表面及び素材Ｍの内部をアブレーション加工する。加工装置１は、照射部１０、調整部２０、保持部３０、及び駆動機構４０を含む。
【００８８】
照射部１０は、素材Ｍに対してレーザーを照射する。照射部１０は、レーザーの発振器１０ａ、及び発振器１０ａからのレーザー光を素材Ｍに集光させるためのレンズ群１０ｂ等を含む。レーザーの発振器１０ａは、加工装置１の外部に設けられていてもよい。
【００８９】
調整部２０は、レーザーの照射パターンを調整する。調整部２０は、たとえば、ガルバノミラー、フレネルレンズ、回折光学素子（ＤＯＥ）、空間光位相変調器（ＬＣＯＳ−ＳＬＭ）等の部材である。調整部２０は、照射部１０内において、たとえば、発振器１０ａとレンズ群１０ｂとの間に配置される。ある加工装置において使用できる照射パターンは、各装置が備える調整部２０の構成により決定される。
【００９０】
ここで、照射パターンの具体例について説明する。
【００９１】
たとえば、スライス断面毎（当該スライス断面に含まれる加工領域毎）に一括でレーザーを照射するパターンは、調整部２０として空間光位相変調器を用いることにより実現できる。空間光位相変調器は、液晶の配向を調整することにより、発信器１０ａからのレーザーを任意の形状に成形することができる。たとえば、空間光位相変調器は、ビーム状のレーザーを平面に成形し且つ所定の厚みを持たせることで、薄板状のレーザー（３次元形状のレーザー）を照射することを可能とする。このような空間光位相変調器を用いることにより、たとえば、一のスライス断面に含まれる加工領域全体に対して一回の照射でアブレーション加工を実施できる。すなわち、空間光位相変調器を利用することにより広範囲の加工領域を一括で加工できるため、加工時間を短縮することができる。また、空間光位相変調器は、加工領域の形状が複雑な場合（たとえば、加工領域の境界面が波状）であっても、液晶の配向を調整することによって、レーザーのビーム形状を様々な形（点状、線状等）に変形することができる。なお、上記照射パターンを実現できる構成であれば、調整部２０は空間光位相変調器でなくてもよい。たとえば、レーザーを平面状にするためには、調整部２０としてＭＥＭＳミラーを使用できる。
【００９２】
一方、加工領域の範囲によっては、一括でレーザーを照射することが困難な場合もある。このような場合には、あるスライス断面における加工領域中の異なる領域それぞれにレーザーを照射するパターンであって、異なる領域それぞれに照射されるレーザーのエネルギー密度が等しくなるような照射パターンを使用することが可能である。エネルギー密度は単位面積当たりのエネルギー量である。
【００９３】
このような照射パターンは、たとえば以下の二つ（第一の照射パターン、第二の照射パターン）が可能である。第一の照射パターン及び第二の照射パターンは「所定の照射パターン」の一例である。
【００９４】
まず、第一の照射パターンについて説明する。第一の照射パターンは、分割された加工領域それぞれに対してレーザーを照射するパターンである。たとえば、加工データにおいて、図８Ｄに示したような分割断面データが含まれているとする。この場合、調整部２０は、加工領域データｆ５１〜ｆ５４に対応する加工領域それぞれに対してレーザーの照射が行われるように照射パターンを調整する。
【００９５】
第一の照射パターンにおいて、各加工領域に照射されるレーザーのエネルギー密度は等しくなっている。エネルギー密度は、たとえば、各加工領域の面積に応じ、照射するレーザーの出力値（強度）を変更することにより等しくすることができる。或いは、分割断面データを作成する際、各分割断面に含まれる加工領域の面積が等しくなるように分割することにより、レーザーの出力値（強度）を変更せずに、各加工領域に照射されるレーザーのエネルギー密度を等しくすることができる。
【００９６】
次に、図９Ａ及び図９Ｂを参照して第二の照射パターンについて説明する。図９Ａ及び図９Ｂは、素材Ｍのあるスライス断面における加工領域ＰＥを示す図である。
【００９７】
第二の照射パターンは、一の加工領域に対し、レーザーの照射領域を変えながら（各照射領域が重複しないように）、複数回のレーザー照射を行うパターンである。たとえば、第二の照射パターンでは、最初に加工領域ＰＥの中心部分に対して所定のスポット径のレーザーを照射する（図９Ａ参照。照射領域ＩＲ１は、一回目にレーザー照射された加工領域である）。次に、加工領域ＰＥに対し、照射領域ＩＲ１の外周から外側に向かってリング状のレーザーを複数回照射する。たとえば、図９Ｂに示す照射領域ＩＲ２は、二回目にレーザー照射された加工領域（照射領域ＩＲ１の外側に位置するリング状の領域）である。照射領域ＩＲ３は、三回目にレーザー照射された加工領域（照射領域ＩＲ２の外側に位置するリング状の領域）である。照射領域ＩＲ４は、四回目にレーザー照射された加工領域（照射領域ＩＲ３の外側に位置するリング状の領域）である。リング状のレーザー照射は、たとえば、調整部２０としてヘリカルドリリングに使用する回転体と光学系を使用することで、リング状ライトガイドと同様な形状を作成することが可能となる。
【００９８】
また、第二の照射パターンにおいて、各照射領域におけるエネルギー密度は等しくなっている。たとえば、照射領域ＩＲ１〜照射領域ＩＲ４の面積が等しくなるようにレーザーの照射範囲を調整することにより、エネルギー密度を等しくすることができる。
【００９９】
別の照射パターンとして、加工領域に対してレーザーを所定方向に走査しながら照射するパターンも可能である。
【０１００】
これは、調整部２０として、ガルバノミラーを用いることにより実現できる。ガルバノミラーは２つのミラーを有し、各ミラーを別々に駆動させることにより、発信器１０ａからのレーザーをＸＹ平面で走査することができる。ガルバノミラーは、高速で走査することが可能であるため、加工時間を短縮することができる。
【０１０１】
或いは、フレネルレンズや回折光学素子といった光学系は、レーザーをその光軸に平行または垂直な方向に複数の焦点（多焦点）を持つように調整することができる。これらの光学系を調整部２０として使用することにより、一回の照射で加工領域の幅方向（図８ＣのＸＹ方向）または厚さ方向（図８ＣのＺ方向）の所定領域に対して加工が可能となる。更に、ガルバノミラーとフレネルレンズまたは回折格子とを組み合わせることにより、より広範囲でレーザーを走査することも可能である。
【０１０２】
保持部３０は素材Ｍを保持する。素材Ｍを保持する方法は、保持された素材Ｍを５軸に沿って移動・回転させることができれば、特に限定されるものではない。
【０１０３】
駆動機構４０は、照射部１０（調整部２０）及び保持部３０を相対的に移動させる。駆動機構４０は駆動用のサーボモータ等を含む。
【０１０４】
コンピューター２は、加工装置１が備える各種構成の動作を制御する。たとえば、コンピューター２は、加工領域にレーザーの焦点が位置するよう、駆動機構４０を制御して照射部１０と保持部３０（保持部３０に保持される素材Ｍ）との相対的な位置関係を調整する。そして、コンピューター２は、照射部１０を制御し、加工領域毎にレーザーを照射する。
【０１０５】
本実施形態において、コンピューター２は、加工データに基づき、素材表面の加工領域（開口部分に対応）から、素材内部の加工領域（空洞部分に対応）に沿ってレーザーを照射してアブレーション加工を行い、開口部分や空洞部分を形成するよう照射部１０及び駆動機構４０を制御する。また、コンピューター２は、加工領域毎に所定の照射パターンでレーザーが照射されるよう、調整部２０を制御することも可能である。
【０１０６】
更に、コンピューター２は、照射部１０を制御し、レーザーの強度や照射時間等の調整を行ってもよい。レーザーの強度や照射時間は、照射されるレーザーの出力（エネルギー）に影響を与えるものである。これらの値は、上述の通り加工データに予め組み込まれていてもよいし、加工装置１側で設定することでもよい。また、これらの値を決定する際には、加工対象となる素材の種類や特性を加味してもよい。コンピューター２は、「制御部」の一例である。
【０１０７】
なお、後述の加工方法を実施することが可能であれば、加工システム１００は５軸である必要はない。たとえば、照射部１０をＺ方向に駆動させる駆動軸、保持部３０をＸ方向及びＹ方向に駆動させる駆動軸の３軸の加工装置を用いることも可能である。また、開口部分及び空洞部分を有する加工物を加工するためであれば、調整部２０は必須の構成ではない。調整部２０がない場合、照射部１０から照射されるレーザーは単焦点となるため、加工領域に対して点として照射される。このように加工領域の加工を点（点群）で行う場合、調整部２０を有する場合に比べ加工時間を要するが、より細かい加工が可能となる。或いは、調整部２０を備える加工システム１００において、調整部２０を介してレーザーを照射することで加工領域を粗く加工した後、調整部２０を介さずにレーザーを照射することで仕上げ加工を行うことも可能である。
【０１０８】
また、加工システム１００は、ＣＡＭシステム２００からの加工データに基づいて加工を行う代わりに、ＣＡＤシステム１００から直接、設計データ及び素材データを受け取り、当該データに応じて加工を行うことも可能である。
【０１０９】
＝＝加工システムによる加工＝＝
次に図１０を参照して、本実施形態に係る加工方法の具体例について説明する。本実施形態においては、素材Ｍを加工し、図８Ａに示したマイクロ流体デバイスＤを作成する例について述べる。
【０１１０】
マイクロ流体デバイスＤの加工データはＣＡＭシステム２００により予め作成されている。この加工データは、照射順序データ、スライス断面データＳｄ１〜Ｓｄ６及び加工領域データｏ１〜ｏ３、ｐ１〜ｐ３、ｆ１〜ｆ５を含む。照射順序データは、（１）開口部分Ｏ１〜開口部分Ｏ３、（２）ポートＰ１〜ポートＰ３、（３）流路部分Ｆ（ポートＰ１及びポートＰ２側からポートＰ３側に向かう方向）の順序が規定されているとする。
【０１１１】
図１０は、本実施形態に係る加工方法を示すフローチャートである。加工方法は、加工システム１００によって実行される。また、加工方法は、専用の加工プログラムとして、加工システム１００に予めインストールされている。
【０１１２】
まず、使用する素材Ｍを選択し、加工装置１の保持部３０にセットする（素材のセット。Ｓ１０）。素材Ｍは、加工データを作成する際に使用した形状データ（外形）に対応する形状であることが好ましい。但し、素材Ｍは、少なくともマイクロ流体デバイスＤを包含する形状であればよい。
【０１１３】
コンピューター２は、マイクロ流体デバイスＤの加工データに基づいて、加工装置１に素材Ｍの加工を実行させる。
【０１１４】
まず、コンピューター２は、照射順序データに基づいて、最初にレーザー照射を行う開口部分Ｏ１〜開口部分Ｏ３を特定する。そして、コンピューター２は、特定した開口部分Ｏ１〜Ｏ３に対応する加工領域データｏ１〜ｏ３を含むスライス断面データＳｄ１及びＳｄ６を複数のスライス断面データから選択する（開口部分を含むスライス断面データの選択。Ｓ１１）。
【０１１５】
次に、コンピューター２は、Ｓ１１で選択されたスライス断面データに対応するスライス断面において、開口部分Ｏ１〜Ｏ３に対応する加工領域に対してレーザーの照射を行うよう加工装置１を制御する（開口部分に対応する加工領域にレーザーを照射。Ｓ１２）。コンピューター２は、レーザーの焦点位置が加工領域に合うよう調整を行う。具体的には、コンピューター２は、照射部１０及び駆動機構４０の相対的な位置を調整したり、照射部１０に含まれるレンズ群の向きや角度、調整部２０の状態等を調整する。なお、焦点位置等の調整は、素材の屈折率を考慮して行われることが好ましい。レーザーの焦点位置と加工領域とを一致させた後、コンピューター２は、加工領域に対して所定の照射パターンでレーザーを照射させる。
【０１１６】
開口部分Ｏ1〜Ｏ３に対応する加工領域へのレーザー照射が全て完了した後（Ｓ１３でＹの場合）、コンピューター２は、照射順序データに基づいて、開口部分Ｏ１〜Ｏ３と連通するポートＰ１〜Ｐ３を特定する。そして、コンピューター２は、特定したポートＰ１〜Ｐ３に対応する加工領域データｐ１〜ｐ３を含むスライス断面データＳｄ１及びＳｄ６を複数のスライス断面データから選択する（ポートを含むスライス断面データの選択。Ｓ１４）。この例では、加工領域データｐ１、ｐ２と加工領域データｏ１、ｏ２は、同じスライス断面データＳｄ１に含まれており、加工領域データｐ３と加工領域データｏ３は、同じスライス断面データＳｄ６に含まれている。
【０１１７】
コンピューター２は、Ｓ１４で選択されたスライス断面データＳｄ１及びＳｄ６に対応するスライス断面において、ポートＰ１〜Ｐ３に対応する加工領域に対してレーザーの照射を行うよう加工装置１を制御する（ポートに対応する加工領域にレーザーを照射。Ｓ１５）。
【０１１８】
このように加工を行う場合、レーザーが照射される加工領域は開口部分Ｏ１〜Ｏ３のいずれかを介して、常に素材外部と連通した状態となる。よって、アブレーション加工により溶融またはガス化した素材は、開口部分Ｏ１〜Ｏ３から素材外部に排出される。
【０１１９】
ポートＰ1〜Ｐ３に対応する加工領域へのレーザー照射が全て完了した後（Ｓ１６でＹの場合）、コンピューター２は、照射順序データに基づいて、ポートＰ１〜Ｐ３と連通する流路部分Ｆを特定する。そして、コンピューター２は、特定した流路部分Ｆに対応する加工領域データｆ１〜ｆ５を含むスライス断面データＳｄ２〜Ｓｄ５を複数のスライス断面データから選択する（流路部分を含むスライス断面データの選択。Ｓ１７）。
【０１２０】
コンピューター２は、Ｓ１７で選択されたスライス断面データＳｄ２〜Ｓｄ５に対応するスライス断面において、流路部分Ｆに対応する加工領域に対してレーザーの照射を行うよう加工装置１を制御する（流路部分に対応する加工領域にレーザーを照射。Ｓ１８）。この際、照射順序データによれば、ポートＰ１及びポートＰ２側からポートＰ３側に向かってＹ軸方向の加工領域に順次レーザーを照射させ流路部分Ｆを作成する。従って、コンピューター２は、流路部分Ｆに対応する加工領域のうち、スライス断面データＳｄ２に対応するスライス断面に含まれる加工領域からスライス断面データＳｄ５に対応するスライス断面に含まれる加工領域に向かって順番にレーザー照射を行うように加工装置１を制御する。
【０１２１】
このように加工を行う場合、レーザーが照射される加工領域はポートＰ１及び開口部分Ｏ１を介して（或いはポートＰ２及び開口部分Ｏ２を介して）、常に素材外部と連通した状態となる。よって、アブレーション加工により溶融またはガス化した素材は、開口部分Ｏ１（或いは開口部分Ｏ２）から素材外部に排出される。
【０１２２】
流路部分Ｆに対応する加工領域全てに対してレーザー照射を行うことにより（Ｓ１９でＹの場合）、開口部分Ｏ１〜Ｏ３、ポートＰ１〜Ｐ３及び空洞部分Ｆが形成されたマイクロ流体デバイスＤが得られる（加工物の完成。Ｓ２０）。
【０１２３】
なお、上記例では、開口部分Ｏ１〜開口部分Ｏ３全てに対してレーザー照射を行った後に、空洞部分に対してレーザー照射を行う照射順序で説明を行ったが、順番はこれに限られない。すなわち、本実施形態に係る加工方法においては、レーザーが照射される加工領域が開口部分を介して常に素材外部と連通した状態となればよい。従って、たとえば、（１）開口部分Ｏ１、（２）ポートＰ１、（３）流路部分Ｆ、（４）ポートＰ２、（５）開口部分Ｏ２、（６）ポートＰ３、（７）開口部分Ｏ３の順で規定された照射順序データを用いることができる。このような照射順序データに基づいて加工を行った場合、一番初めに加工される開口部分Ｏ１を介して、他の加工領域は常に素材外部と連通した状態となる。
【０１２４】
或いは、上記例のように、開口部分に対応する加工領域とポートに対応する加工領域が同じスライス断面に含まれている場合、開口部分に対応する加工領域へのレーザー照射とポートに対応する加工領域へのレーザー照射とを連続的に行なってもよい。たとえば、開口部分Ｏ１からＺ軸方向の加工領域に順次レーザーを照射させポートＰ１を作成する。この場合、ポートＰ１に対応する加工領域は開口部分Ｏ１を介して常に素材外部と連通した状態となる。よって、アブレーション加工により溶融またはガス化した素材は、開口部分Ｏ１から素材外部に排出される。同様に、コンピューター２は、加工装置１を制御し、開口部分Ｏ２からＺ軸方向の加工領域に順次レーザーを照射させポートＰ２を作成し、加工部分Ｏ３からＺ軸方向の加工領域に順次レーザーを照射させポートＰ３を作成する。
【０１２５】
このように、本実施形態に係る加工方法によれば、開口部分に対応する素材表面の加工領域から、空洞部分に対応する加工領域に沿ってレーザーを照射してアブレーション加工を行い、素材内部に空洞部分を形成する。この場合、アブレーション加工によって溶融またはガス化した素材は、先に加工された開口部分を通じて素材外部に排出される。従って、溶融またはガス化した素材がアブレーション加工により形成された空洞部分に蒸着することがない。すなわち、本実施形態に係る加工方法によれば、内部に空洞部分を有する加工物を高精度で作成することが可能となる。
【０１２６】
また、スライス断面毎に抽出された加工領域に対してスライス断面毎にレーザーを照射することにより、細かい加工が可能となる。従って、空洞部分の形状が複雑な場合等であっても加工物を簡易に作成することができる。
【０１２７】
また、レーザーの照射パターンとして、あるスライス断面における加工領域中の異なる領域それぞれにレーザーを照射するパターンであって、異なる領域それぞれに照射されるレーザーのエネルギー密度が等しくなるようなパターンを用いることができる。この場合、照射されるエネルギー変動による素材の加工負荷が軽減される。従って、レーザー照射による素材の破損を防止することができる。
【０１２８】
或いは、本実施形態に係る加工方法を加工システム１００により実現することも可能である。加工システム１００は、開口部分に対応する素材表面の加工領域から、空洞部分に対応する加工領域に沿ってレーザーを照射してアブレーション加工を行い、素材内部に空洞部分を形成するよう照射部１０及び駆動機構４０を制御することができる。この場合、アブレーション加工によって溶融またはガス化した素材は、先に加工された開口部分を通じて素材外部に排出される。従って、溶融またはガス化した素材がアブレーション加工により形成された空洞部分に蒸着することがない。すなわち、本実施形態に係る加工システム１００によれば、内部に空洞部分を有する加工物を高精度で作成することができる。
【０１２９】
また、本実施形態に係る加工プログラムによれば、加工システム１００に、開口部分に対応する素材表面の加工領域から、空洞部分に対応する加工領域に沿ってレーザーを照射させ、アブレーション加工により素材内部に空洞部分を形成させることができる。この場合、アブレーション加工によって溶融またはガス化した素材は、先に加工された開口部分を通じて素材外部に排出される。従って、溶融またはガス化した素材がアブレーション加工により形成された空洞部分に蒸着することがない。すなわち、本実施形態に係る加工プログラムを加工システム１００で実行することにより、内部に空洞部分を有する加工物を高精度で作成することが可能となる。
【０１３０】
［その他］
上記実施形態では、開口部分に対応する素材表面の加工領域から順番に空洞部分を加工する例について述べたが、開口部分や空洞部分の一部が形成された素材に対して上記実施形態と同様のレーザー加工を行うことも可能である。
【０１３１】
たとえば、マイクロ流体デバイスの中には、開口部分及びポートの位置は同じで流路部分の形状のみが異なるものがある。このようなマイクロ流体デバイスを作成する場合、位置の変わらない開口部分及びポートについては切削加工によって予め形成しておき、流路部分だけをレーザー加工することも可能である。
【０１３２】
すなわち、開口部分及び当該開口部分と連通する空洞部分の一部が形成された素材に対し、残りの空洞部分に対応する加工領域に沿ってレーザーを照射してアブレーション加工を行い、素材内部に前記空洞部分を形成することも可能である。
【０１３３】
このような加工方法は、加工システム１００によって実行できる。また、加工方法は、専用の加工プログラムとして、加工システム１００に予めインストールされている。この場合、加工システム１００のコントローラー２は、開口部分及び当該開口部分と連通する空洞部分の一部が形成された素材に対し、残りの空洞部分に対応する加工領域に沿ってレーザーを照射してアブレーション加工を行い、素材内部に空洞部分を形成するよう照射部１０及び駆動機構４０を制御する。
【０１３４】
たとえば、図８Ａの例において、開口部分Ｏ１〜Ｏ３及びポートＰ１〜Ｐ３が既に形成されているとする。このような素材に対して、ポートＰ１〜Ｐ３と連通する流路部分Ｆに対応する加工領域から順番にレーザー加工を行うことにより、アブレーション加工によって溶融またはガス化した素材は、ポート及び開口部分を介して素材外部に排出される。
【０１３５】
従って、溶融またはガス化した素材がアブレーション加工により形成された空洞部分に蒸着することがない。すなわち、このような加工方法、加工システム、及び加工プログラムによっても、内部に空洞部分を有する加工物を高精度で作成することが可能となる。
【０１３６】
なお、上記実施形態では、スライス断面毎の加工領域を加工する例について述べたが、スライス断面毎に加工することは必ずしも必要ない。たとえば、内部の空洞部分がマイクロ流体デバイスＤの流路部分Ｆのように複雑な形状でない場合、スライス断面に分割することなく、照射順序データ及び加工領域データに基づき、素材内部の加工領域に対してレーザーを照射することで直接、空洞部分を形成することができる。
【０１３７】
たとえば、上記例において、コンピューター２は、加工データから、素材表面の開口部分Ｏ１〜開口部分Ｏ３に対応する加工領域を特定する。次に、コンピューター２は、特定された開口部分Ｏ１〜開口部分Ｏ３に対応する加工領域に対してレーザーの照射を行うよう加工装置１を制御する。
【０１３８】
開口部分Ｏ1〜開口部Ｏ３に対応する加工領域へのレーザー照射が全て完了した後、コンピューター２は、加工データから開口部分Ｏ１〜開口部分Ｏ３と連通する空洞部分（ポートＰ１〜ポートＰ３及び流路部分Ｆ）に対応する加工領域を特定する。コンピューター２は、特定された空洞部分に対応する加工領域に対し、照射順序データに基づいて、開口部分Ｏ１からＺ軸方向の加工領域に順次レーザーを照射させポートＰ１を作成する。同様に、コンピューター２は、開口部分Ｏ２からＺ軸方向の加工領域に順次レーザーを照射させポートＰ２を作成し、加工部分Ｏ３からＺ軸方向の加工領域に順次レーザーを照射させポートＰ３を作成する。
【０１３９】
その後、コンピューター２は、照射順序データに基づいて、ポートＰ１及びポートＰ２側からポートＰ３側に向かってＹ軸方向の加工領域に順次レーザーを照射させ流路部分Ｆを作成する。空洞部分に対応する加工領域全てに対してレーザー照射を行うことにより、開口部分Ｏ１〜Ｏ３、ポートＰ１〜Ｐ３及び空洞部分Ｆが形成されたマイクロ流体デバイスＤが得られる。
【０１４０】
上記加工方法で作成できる加工物は、マイクロ流体デバイスに限らない。上記加工方法は、内部に空洞部分を有する加工物を作成する場合に広く利用することができる。
【０１４１】
上記実施形態の加工方法を実施する加工プログラムが記憶された非一時的なコンピューター可読媒体（non-transitory computer readable medium with an executable program thereon）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Read Only Memory）等がある。
【０１４２】
上記実施形態は、発明の例として提示したものであり、発明の範囲を限定するものではない。上記の構成は、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０１４３】
３００  ＣＡＤシステム
３０１ａ  素材データ記憶部
３０２ａ  表示データ記憶部
３０１ｅ  表示制御部
３０２ｅ  素材データ決定部
３０３ｅ  座標値設定部
３０４ｅ  設計データ作成部
３０５ｅ  出力部
【図１】
2018136879.tif 000003
【図２】
2018136879.tif 000004
【図３Ａ】
2018136879.tif 000005
【図３Ｂ】
2018136879.tif 000006
【図３Ｃ】
2018136879.tif 000007
【図４】
2018136879.tif 000008
【図５】
2018136879.tif 000009
【図６】
2018136879.tif 000010
【図７】
2018136879.tif 000011
【図８Ａ】
2018136879.tif 000012
【図８Ｂ】
2018136879.tif 000013
【図８Ｃ】
2018136879.tif 000014
【図８Ｄ】
2018136879.tif 000015
【図８Ｅ】
2018136879.tif 000016
【図９Ａ】
2018136879.tif 000017
【図９Ｂ】
2018136879.tif 000018
【図１０】
2018136879.tif 000019